(57)【要約】【課題】主として車椅子での生活を余儀なくされている者や要介護者の着用に適した下着を提供する。【解決手段】下着１は、前身頃２及び後身頃３を備えた下着本体部４と、前身頃２の下部２ｂと後身頃３の下部３ｂを相互に保持する保持手段（第１のマグネット部材６、第２のマグネット部材７、面係止部材８、被係止部材９）と、前身頃２及び後身頃３にそれぞれ設けられた把持部材（第１の帯状体１０、第２の帯状体１１）と、把持部材を係止するための係止部材（ボタン１２）とを備える。着用者が把持部材を把持して保持手段による前身頃２と後身頃３の保持を解除し、前身頃２及び後身頃３をそれぞれ引き寄せることで着用者の股間部が露出し、さらに把持部材を係止部材に係止させることで股間部の露出が維持される。【選択図】図１
0003209677.tif 000002
【実用新案登録請求の範囲】
【請求項１】
前身頃及び後身頃を備えた下着本体部と、
前記前身頃の下部と前記後身頃の下部を相互に保持する保持手段と、
前記前身頃及び前記後身頃にそれぞれ設けられた把持部材と、
前記把持部材を係止するための係止部材とを備え、
着用者が前記把持部材を把持して前記保持手段による前記前身頃と前記後身頃の保持を解除し、前記前身頃及び前記後身頃をそれぞれ引き寄せることで着用者の股間部が露出し、さらに前記把持部材を前記係止部材に係止させることで前記股間部の露出が維持されることを特徴とする下着。
【考案の詳細な説明】
【技術分野】
【０００１】  本考案は、主として車椅子での生活を余儀なくされている者や要介護者の着用に適した下着に関するものである。
【背景技術】
【０００２】  例えば、高齢を理由に介護が必要な者や、怪我や病気などを理由に車椅子での生活を余儀なくされている者（以下「非健常者」と称する）は、下半身に着用する下着を自力で着脱することが困難な場合がある。そこで従来、着用者（非健常者）の腰を覆う下着の本体部に対し、尿道口及び肛門を含む股間部を覆う股下部が面ファスナーなどの係合手段により着脱自在に取り付け可能な下着が提案されている（例えば特許文献１）。特許文献１に示す例では、通常時は股下部を閉じて着用者の股間部を覆っているが、排泄行為時には股下部を開口して股間部を露出することで着用者が下着を脱がずに排泄することができるようになっている。
【先行技術文献】
【特許文献】
【０００３】
【特許文献１】特開２００１−３０３３２０号公報
【考案の概要】
【考案が解決しようとする課題】
【０００４】  しかしながら従来技術では、本体部と股下部の係合を解除した状態ではこられが遊んだ状態となり、排泄行為時に汚物が下着に付着するおそれがあった。このように、従来技術における下着は使い勝手の面で更なる改善の余地があった。【０００５】  そこで本考案は、非健常者や介護者にとって使い勝手がよく、特に排泄行為時における利便性を向上させることができる下着を提供することを目的とする。
【課題を解決するための手段】
【０００６】  本考案の下着は、前身頃及び後身頃を備えた下着本体部と、前記前身頃の下部と前記後身頃の下部を相互に保持する保持手段と、前記前身頃及び前記後身頃にそれぞれ設けられた把持部材と、前記把持部材を係止するための係止部材とを備え、着用者が前記把持部材を把持して前記保持手段による前記前身頃と前記後身頃の保持を解除し、前記前身頃及び前記後身頃をそれぞれ引き寄せることで着用者の股間部が露出し、さらに前記把持部材を前記係止部材に係止させることで前記股間部の露出が維持される。
【考案の効果】
【０００７】  本考案によれば、排泄行為時における利便性を向上させることができる。
【図面の簡単な説明】
【０００８】
【図１】本考案の一実施の形態における下着の（ａ）正面図（ｂ）背面図
【図２】本考案の一実施の実施における下着の側面図
【図３】本考案の一実施の形態における下着が備える前身頃と後身頃の保持を解除した状態を示す図
【図４】（ａ）（ｂ）本考案の一実施の形態における下着の使用例を示す図
【図５】（ａ）（ｂ）本考案の一実施の形態における下着の使用例を示す図
【考案を実施するための形態】
【０００９】  図１、図２及び図３を参照して、本考案の一実施の形態における下着の全体構成について説明する。下着１は着用者Ｐ（図４）の下半身に着用され、例えば綿ブロードの生地から成る前身頃２と後身頃３を備えた下着本体部４を含んで構成される。本実施の形態における前身頃２と後身頃３は分離しており、前身頃２の下部２ｂと後身頃３の下部３ｂが後述する保持手段により保持及び保持解除が可能となっている。
【００１０】  図２において、前身頃２の上部２ａ及び後身頃３の上部３ａはそれぞれ所定の範囲が折り返されており、端部が折り返し方向に縫い付けられることで閉じた空間Ｔ１，Ｔ２が形成されている。これらの空間Ｔ１，Ｔ２には、例えばゴム等の伸縮性を有する環状の紐部材５が挿入されている。下着１の着用時において、紐部材５は着用者Ｐの腰回りに密着する。なお、紐部材５はしゅす織りの生地を用いてもよい。
【００１１】  図４（ａ）に示すように、下着１の着用時において、前身頃２は下部２ｂが股間部ＰＡの前方側と対向する位置になるように長手方向における長さ寸法が設定されている。後身頃３は、着用者Ｐの股間部ＰＡを覆いながら後方側から前方側に折り返された状態において、下部３ｂが前身頃２の下部２ｂと重なり合うように長手方向における長さ寸法が設定されている。本実施の形態において、股間部ＰＡは尿道口と肛門を含む股下及び股下近傍の部位として定義している。
【００１２】  図２において、前身頃２の下部２ｂ及び後身頃３の下部３ｂには、各上部２ａ，３ａと同様に所定の範囲が折り返されており、端部が折り返し方向に縫い付けられている。図１において、前身頃２の下部２ｂの両端部には、磁性体金属を引磁する性質を有する第１のマグネット部材６が当該前身頃２の折り返しによって挟み込まれた状態でそれぞれ取り付けられている。
【００１３】  後身頃３の下部３ｂの両端部であって、複数の第１のマグネット部材６とそれぞれ対向する位置には、第１のマグネット部材６によって引磁される複数の第２のマグネット部材７が当該後身頃３によって挟み込まれた状態で取り付けられている。第１のマグネット部材６が第２のマグネット部材７に及ぼす引磁力によって、前身頃２と後身頃３とは所定の保持力Ｆで相互に保持される。
【００１４】  図１において、前身頃２の下部２ｂの略中央における折り返し位置には、面係止部材８がむき出しの状態で取り付けられている。同様に、後身頃３の下部３ｂの略中央であって、面係止部材８と対向する折り返し位置には被係止部材９がむき出しの状態で取り付けられている。面係止部材８及び被係止部材９は、何れもシート状のベースに相互に押し付けることで密着する形状の起毛処理が施されたシート部品である。面係止部材８及び被係止部材９は組み合わされることで、面的に着脱可能な面ファスナーを構成する。
【００１５】  図２に示すように本実施の形態では、前身頃２の下部２ｂの後方に後身頃３の下部３ｂを位置合わせすることで、前身頃２と後身頃３が保持されるようになっている。このように、前身頃２の下部２ｂと後身頃３の下部３ｂは、磁性体金属及び面ファスナーを介して保持される。すなわち、第１のマグネット部材６、第２のマグネット部材７、面係止部材８及び被係止部材９は、前身頃２の下部２ｂと後身頃３の下部３ｂを相互に保持する保持手段となっている。図３は、前身頃２の下部２ｂと後身頃３の下部３ｂの保持を解除させた状態を示している。
【００１６】  図１（ａ）及び図２において、前身頃２の両側には、長手方向に帯状に伸びた把持部材（第１の把持部材）としての第１の帯状体１０（１０Ａ，１０Ｂ）がそれぞれ設けられている。第１の帯状体１０は両端部が裁縫処理によって前身頃２に固定されており、前身頃２と第１の帯状体１０との間には着用者Ｐ或いは介護者の指を挿抜可能な空間Ｔ３が形成されている。
【００１７】  図１（ｂ）及び図２において、後身頃３の両側には長手方向に帯状に伸びた把持部材（第２の把持部材）としての第２の帯状体１１（１１Ａ，１１Ｂ）がそれぞれ設けられており、後身頃３と第２の帯状体１１との間には指を挿抜可能な空間Ｔ４が形成されている。第１の帯状体１０及び第２の帯状体１１は、保持手段による前身頃２と後身頃３の保持を解除する際に把持される。
【００１８】  図１及び図３において、紐部材５の下着本体部４を両側から挟む位置には係止部材としてのボタン１２（１２Ａ，１２Ｂ）がそれぞれ取り付けられている。ボタン１２はボタン本体１２ａと輪状のシャンク１２ｂを含んで構成され、シャンク１２ｂの開口を通じて紐部材５に糸止めされている。図４（ｂ）及び図５（ｂｂ）に示すように、下着１の着用時において、第１の帯状体１０と第２の帯状体１１をシャンク１２ｂに引掛けることで、前身頃２及び後身頃３は斜め上方にめくり上げられたままとなって股間部ＰＡの露出が維持される。このように、ボタン１２は第１の帯状体１０及び第２の帯状体１１を係止する係止部材として機能する。
【００１９】  本実施の形態において、第１の帯状体１０、第２の帯状体１１、ボタン１２が着用者Ｐを正面視して左右に設けられている理由は、着用者Ｐの利き手を考慮したことによるものである。すなわち、例えば着用者Ｐが右利きの場合、着用者Ｐは右手側とは反対側（左手側）にある第１の帯状体１０Ｂを把持する（図４（ａ））。そして、着用者Ｐは右手側にあるボタン１２Ａに向けて第１の帯状体１０Ｂを引き寄せて係止することで、前身頃２と後身頃３の保持を解除するための一連の動作が容易になる。
【００２０】  着用者Ｐの利き手を考慮しなければ、第１の帯状体１０、第２の帯状体１１、ボタン１２を複数取り付ける必要はない。かかる場合、着用者Ｐを正面視して第１の帯状体１０、第２の帯状体１１の取り付け側とは反対側にボタン１２を取り付ける。
【００２１】  本考案の下着１は以上のように構成される。次に図４及び図５を参照して、排泄行為時における下着１の使用例を説明する。まず図４（ａ）に示すように、着用者Ｐは排泄行為の開始に先立って左手側にある第１の帯状体１０Ｂを把持する。次いで図４（ｂ）に示すように、着用者Ｐは第１の帯状体１０Ｂを右手側に引き寄せることで（矢印ａ）、前身頃２と後身頃３の保持が強制的に解除され、前方側の股間部ＰＡが露出する。そして、着用者Ｐは引き寄せた第１の帯状体１０Ａをボタン１２Ａに係止することで、前身頃２が前方側の股間部ＰＡに対して斜め上方にめくり上げられたままの状態となる。これにより、前方側の股間部ＰＡの露出が維持される（図４（ｂ））。このとき、後身頃３は垂れ下がって遊んだままとなっている。
【００２２】  次いで図５（ａ），（ｂ）に示すように、着用者Ｐは左手側にある第２の帯状体１１Ｂを把持し、これを右手側に引き寄せることで（矢印ｂ）、後方側の股間部ＰＡが露出する。そして、着用者Ｐは引き寄せた第２の帯状体１１Ｂをボタン１２Ａに係止することで、後身頃３が後方側の股間部ＰＡに対して斜め上方にめくり上げられたままの状態となる。これにより、後方側の股間部ＰＡの露出が維持され、排泄行為を行うための準備が完了する。そして排泄行為を終えたならば、着用者Ｐは第１の帯状体１０Ａ及び第２の帯状体１１Ｂの係止を解除した後、前身頃２の下部２ｂと後身頃３の上部３ａを保持させる。便宜上、図５（ａ），（ｂ）では前身頃２及び第１の把持部材１０Ｂの図示を省略している。
【００２３】  このように、着用者Ｐ（或いは介護者）が把持部材を把持して保持手段による前身頃２と後身頃３の保持を解除し、前身頃２及び後身頃３を（着用者Ｐを正面視して一側方に）それぞれ引き寄せることで着用者Ｐの股間部ＰＡが露出し、さらに把持部材を係止部材に係止させることで股間部ＰＡの露出が維持される。これにより、排泄行為時に汚物が前身頃２及び後身頃３に付着する事態を防止できる。これに加え、着用者Ｐや介護者は前身頃２と後身頃３の保持を迅速かつ簡単に解除することができる。すなわち、本考案の下着１を利用することで、非健常者を含む着用者Ｐや介護者にとって使い勝手がよく、特に排泄行為時における利便性を向上させることができる。
【００２４】  本考案に係る下着は考案の趣旨を逸脱しない範囲で設計変更が可能である。例えば、第１の帯状体１０と第２の帯状体１１を係止するボタン１２を紐部材５に個別に備えてもよい。また、保持手段は任意のものに替えてよく、例えばマグネット部材のみ、或いは面ファスナーのみで構成してもよい。さらに、係止部材はボタン１２に限られず、把持部材を係止可能な構成であれば任意のものに替えてよい。
【産業上の利用可能性】
【００２５】  本考案によれば、排泄行為時における利便性を向上させることができ、医療介護分野において有用である。
【符号の説明】
【００２６】１  下着
２  前身頃
３  後身頃
４  下着本体部
６  第１のマグネット部材（保持手段）
７  第２のマグネット部材（保持手段）
８  面係止部材（保持手段）
９  被係止部材（保持手段）
１２  ボタン
Ｐ  着用者
ＰＡ  股間部
【図１】
0003209677.tif 000003
【図２】
0003209677.tif 000004
【図３】
0003209677.tif 000005
【図４】
0003209677.tif 000006
【図５】
0003209677.tif 000007